(57)【要約】【課題】基板の固定及び基板へのグランド形成に必要な部品点数を削減することが可能な電子機器のアース接続構造を提供する。【解決手段】本発明に係るアース接続構造は、電子機器に構築されるものであり、該電子機器においては、設置台に、ネジ部材５が捻じ込まれるネジ受け部42が形成されており、ネジ部材５が基板３を貫通してネジ受け部42に捻じ込まれることにより、設置台の表面に基板３が固定されている。又、基板３には、グランド部として機能させるための金属部が形成されている。ここで、設置台の裏面側の位置には、アースに接続される金属板７が配備されており、ネジ受け部42は、設置台をその表面から裏面まで貫通する一方、ネジ部材５は、導電性を有したものであって基板３の金属部に電気的に接続されており、該ネジ部材５の先端部には、ネジ部材５と金属板７とを互いに電気的に接続する電気接続部６が設けられている。【選択図】図２
2012015050.tif 000002
【特許請求の範囲】
【請求項１】
筐体と、該筐体内に収容された基板とを具え、筐体には、基板を設置するための設置台が設けられ、該設置台には、ネジ部材が捻じ込まれるネジ受け部が形成されており、前記ネジ部材が基板を貫通して前記ネジ受け部に捻じ込まれることにより、設置台の表面に基板が固定され、基板には、グランド部として機能させるための金属部が形成されている電子機器において、
前記筐体内には、設置台の裏面側の位置に、アースに接続される金属板が配備されており、前記ネジ受け部は、前記設置台をその表面から裏面まで貫通する一方、前記ネジ部材は、導電性を有したものであって前記基板の金属部に電気的に接続されており、該ネジ部材の先端部には、ネジ部材と金属板とを互いに電気的に接続する電気接続部が設けられていることを特徴とする電子機器のアース接続構造。
【請求項２】
前記ネジ部材がネジ受け部に捻じ込まれて前記電気接続部の先端部が金属板に当接することにより、前記ネジ部材と金属板とが互いに電気的に接続されており、前記電気接続部は、その先端部が金属板に当接することにより弾性変形するものである請求項１に記載の電子機器のアース接続構造。
【請求項３】
前記電気接続部は、導電性を有する板バネ又はコイルバネから構成されている請求項２に記載の電子機器のアース接続構造。
【発明の詳細な説明】
【技術分野】
【０００１】
本発明は、電子機器に具わる基板をアースに接続するための構造に関する。
【背景技術】
【０００２】
この種のアース接続構造は、携帯電話機や画像表示装置等、様々な電子機器に構築されている（例えば、特許文献１〜３参照）。
【０００３】
図６は、従来の画像表示装置の一例を示した鉛直断面図である。又、図７は、図６に示されるＢ領域の拡大図である。図６に示す様に、従来の画像表示装置には、画像表示パネル(８)が収容された筐体(80)の背面壁(801)に、基板(82)を収容するための収容部(81)が凹設されたものが多く存在している。この画像表示装置においては、図７に示す様に、収容部(81)の底部(811)にボス(83)が後方に向けて突設され、該ボス(83)には、ネジ部材(84)が捻じ込まれるネジ受け部(831)が形成されている。一方、基板(82)には、その表面(821)から裏面(822)へ貫通した貫通孔(823)が形成されている。そして、ネジ部材(84)が基板(82)の貫通孔(823)を貫通してボス(83)のネジ受け部(831)に捻じ込まれることにより、基板(82)が収容部(81)の底部(811)に固定されている。
【０００４】
上記画像表示装置において、基板(82)には、グランド部として機能させるための金属部（図示せず）が形成されており、該金属部の一部が、基板(82)の裏面(822)の内、貫通孔(823)が開口した領域の近傍に露出している。一方、図７に示す様に、画像表示パネル(８)の背面側に、該画像表示パネル(８)の背部を保護する金属板(85)が配備されており、該金属板(85)がアースに接続されている。そして、基板(82)と金属板(85)との間には、基板(82)の金属部の露出部分と金属板(85)とを互いに電気的に接続するアース金具(86)が設けられている。
【０００５】
具体的には、図７に示す様に、アース金具(86)の基端部には、ボス(83)の先端部に固定されるべき固定部(861)が形成され、該固定部(861)には貫通孔(862)が形成されている。そして、ネジ部材(84)は、基板(82)の貫通孔(823)だけでなく、固定部(861)の貫通孔(862)をも貫通して、ボス(83)のネジ受け部(831)に捻じ込まれている。従って、アース金具(86)は、ネジ部材(84)の捻じ込み力により、ボス(83)の先端部と基板(82)とによって挟圧されて、収容部(81)の底部(811)に固定されている。
【０００６】
又、収容部(81)の底部(811)には、ボス(83)の形成位置の近傍に、該底部(811)をその表面から裏面へ貫通する少なくとも１つの貫通孔(812)が形成されており、ボス(83)の先端部に固定されたアース金具(86)は、底部(811)の貫通孔(812)を通過して延びた後、その先端部を金属板(85)に当接させている。
【０００７】
これにより、基板(82)の金属部は、アース金具(86)と金属板(85)とを通じてアースに接続され、その結果、基板(82)の金属部はグランド部として機能している。斯くして、上記画像表示装置には、基板(82)の金属部をアースに接続させるためのアース接続構造が構築されている。
【先行技術文献】
【特許文献】
【０００８】
【特許文献１】特開２００８−４２１３４号公報
【特許文献２】特開２０００−５８１５１号公報
【特許文献３】特開平８−２９３３３７号公報
【発明の概要】
【発明が解決しようとする課題】
【０００９】
しかしながら、従来の画像表示装置では、基板(82)の固定及び基板(82)へのグランド形成においてネジ部材(84)とアース金具(86)の２種類の部品が必要であり、部品点数やコストが増大する問題があった。又、画像表示装置だけでなく、携帯電話機等、他の電子機器においても、同様の問題が生じていた（例えば、特許文献１〜３参照）。
【００１０】
そこで本発明の目的は、基板の固定及び基板へのグランド形成に必要な部品点数を削減することが可能な電子機器のアース接続構造を提供することである。
【課題を解決するための手段】
【００１１】
本発明に係るアース接続構造は、電子機器に構築されるものであり、該電子機器は、筐体と、該筐体内に収容された基板とを具え、筐体には、基板を設置するための設置台が設けられ、該設置台には、ネジ部材が捻じ込まれるネジ受け部が形成されており、前記ネジ部材が基板を貫通して前記ネジ受け部に捻じ込まれることにより、設置台の表面に基板が固定され、基板には、グランド部として機能させるための金属部が形成されている。ここで、前記筐体内には、設置台の裏面側の位置に、アースに接続される金属板が配備されており、前記ネジ受け部は、前記設置台をその表面から裏面まで貫通する一方、前記ネジ部材は、導電性を有したものであって前記基板の金属部に電気的に接続されており、該ネジ部材の先端部には、ネジ部材と金属板とを互いに電気的に接続する電気接続部が設けられている。
【００１２】
上記アース接続構造を有する電子機器の組み立て工程においては、設置台の表面に基板を固定するとき、先ず、ネジ部材の先端部に設けられている電気接続部を基板の表面側から基板の貫通孔とネジ受け部とに挿入して、電気接続部の先端部を設置台の裏面から金属板に向けて突出させる。その後、ネジ部材をネジ受け部に捻じ込む。これにより、設置台の表面に基板が固定させると同時に、ネジ部材が基板の金属部に電気的に接続され、更には、電気接続部の先端部が金属板に当接して、ネジ部材と金属板とが電気接続部を通じて互いに電気的に接続されることになる。従って、基板の金属部は、ネジ部材、電気接続部、及び金属板を通じてアースに接続されることになり、その結果、基板の金属部はグランド部として機能することになる。
【００１３】
従って、上記アース接続構造によれば、ネジ部材と電気接続部とから構成された１種類の部品（アース接続部品）を用意するだけで、設置台への基板の固定と基板へのグランド形成とを実行することが出来る。よって、電子機器において、基板の固定及び基板へのグランド形成に必要な部品点数を削減することで出来る。
【００１４】
上記アース接続構造の具体的構成において、前記ネジ部材がネジ受け部に捻じ込まれて前記電気接続部の先端部が金属板に当接することにより、前記ネジ部材と金属板とが互いに電気的に接続されており、前記電気接続部は、その先端部が金属板に当接することにより弾性変形するものである。より具体的には、前記電気接続部は、導電性を有する板バネ又はコイルバネから構成されている。
【００１５】
上記具体的構成によれば、ネジ受け部へのネジ部材の捻じ込みが金属板への電気接続部の当接によって妨げられることがない。従って、ネジ受け部へのネジ部材の捻じ込み量が不足することがなく、その結果、基板は、ガタツキのない状態で設置台の表面に固定されることになる。
【００１６】
又、上記具体的構成によれば、電気接続部の弾性反発力（復元力）により、電気接続部の先端部が金属板に向けて押し付けられることになる。よって、電気接続部と金属板との間に、電気的な接続不良が発生し難くなる。
【発明の効果】
【００１７】
本発明に係る電子機器のアース接続構造によれば、基板の固定及び基板へのグランド形成に必要な部品点数を削減することで出来る。
【図面の簡単な説明】
【００１８】
【図１】図１は、本発明の一実施形態に係る画像表示装置を示す鉛直断面図である。
【図２】図２は、図１に示されるＡ領域の拡大図である。
【図３】図３は、上記画像表示装置へのアース接続構造の構築において使用されるアース接続部品を示した側面図である。
【図４】図４は、該アース接続部品の第１変形例を示した側面図である。
【図５】図５は、該アース接続部品の第２変形例を示した側面図である。
【図６】図６は、従来の画像表示装置の一例を示した鉛直断面図である。
【図７】図７は、図６に示されるＢ領域の拡大図である。
【発明を実施するための形態】
【００１９】
以下、本発明を画像表示装置に実施した形態につき、図面に沿って具体的に説明する。
図１は、本発明の一実施形態に係る画像表示装置を示す鉛直断面図である。又、図２は、図１に示されるＡ領域の拡大図である。図１に示す様に、本実施形態の画像表示装置は、筐体(１)と、該筐体(１)内に収容された画像表示パネル(２)及び基板(３)とを具えている。ここで、画像表示パネル(２)には、その前面に、画像を映し出す画像表示面(21)が形成されている。又、基板(３)には、画像表示パネル(２)の動作を制御する制御基板が含まれている。
【００２０】
筐体(１)の背面壁(10)には、基板(３)を収容するための収容部(４)が凹設されると共に、該収容部(４)の開口(43)を塞ぐための蓋体（図示せず）が着脱可能に取り付けられている。ここで、収容部(４)の底部(40)にはボス(41)が後方に向けて突設されており、ボス(41)には、図２に示す様に、ネジ部材(５)が捻じ込まれるネジ受け部(42)が形成されている。そして、該ネジ受け部(42)は、ボス(41)の先端面(410)から収容部(４)の底部(40)の裏面(402)まで貫通している。
【００２１】
一方、基板(３)には、図２に示す様に、その表面(31)から裏面(32)へ貫通した貫通孔(30)が形成され、ネジ部材(５)が、基板(３)の貫通孔(30)を貫通してボス(41)のネジ受け部(42)に捻じ込まれている。具体的には、ネジ部材(５)は、図３に示す如く頭部(51)と脚部(52)とを有したものであり、該脚部(52)の側面に雄ネジ部(53)が形成されている。そして、ネジ部材(５)の脚部(52)が基板(３)の貫通孔(30)に貫挿された状態で、雄ネジ部(53)がネジ受け部(42)に捻じ込まれている。一方、ネジ部材(５)の頭部(51)は、基板(３)の貫通孔(30)を通過することが出来ずに、基板(３)の表面(31)に当接している。従って、基板(３)は、ネジ部材(５)の捻じ込み力により、ボス(41)とネジ部材(５)の頭部(51)とによって挟圧されて、収容部(４)の底部(40)に固定されている。斯くして、収容部(４)の底部(40)とボス(41)により、基板(３)を設置するための設置台が構成されている。
【００２２】
図示していないが、基板(３)には更に、グランド部として機能させるための金属部が形成されており、該金属部の一部が、基板(３)の貫通孔(30)の内面、及び／又は、基板(３)の表面(31)の内、貫通孔(30)が開口した領域の近傍に露出している。そして、ネジ部材(５)は導電性を有したものであり、ネジ部材(５)の一部（頭部(51)又は脚部(52)）が金属部の露出部分に接触することにより、ネジ部材(５)と金属部とが互いに電気的に接続されている。
【００２３】
図１及び図２に示す様に、筐体(１)内には、収容部(４)の底部(40)の裏面側の位置に、画像表示パネル(２)の背部を保護する金属板(７)が配備されており、該金属板(７)がアースに接続されている。
【００２４】
そして、図３に示す様に、ネジ部材(５)の先端部(54)には、ネジ部材(５)と金属板(７)とを互いに電気的に接続する電気接続部(６)が設けられている。ここで、電気接続部(６)は、導電性を有する板バネから構成され、ネジ部材(５)に一体に形成されている。尚、電気接続部(６)は、ネジ部材(５)の一部分にプレス加工を施すことにより、ネジ部材(５)に一体に形成されたものである。勿論、電気接続部(６)は、溶接やカシメ等の固定手段によりネジ部材(５)の先端部(54)に固定されたものであってもよい。又、電気接続部(６)は、ボス(41)のネジ受け部(42)を通過することが可能な形状を有している。
【００２５】
上記ネジ部材(５)と電気接続部(６)とによれば、図２に示す様に、ネジ部材(５)がネジ受け部(42)に捻じ込まれることにより、電気接続部(６)の先端部(61)が金属板(７)に当接し、これによって、ネジ部材(５)と金属板(７)とが電気接続部(６)を通じて互いに電気的に接続されると共に、電気接続部(６)が撓曲（弾性変形）することになる。
【００２６】
上記画像表示装置の組み立て工程においては、収容部(４)の底部(40)に基板(３)を固定するとき、先ず、ネジ部材(５)の先端部(54)に設けられている電気接続部(６)を基板(３)の表面側から基板(３)の貫通孔(30)とボス(41)のネジ受け部(42)とに挿入して、電気接続部(６)の先端部(61)を底部(40)の裏面(402)から金属板(７)に向けて突出させる。その後、ネジ部材(５)をネジ受け部(42)に捻じ込む。これにより、収容部(４)の底部(40)に基板(３)が固定させると同時に、ネジ部材(５)が基板(３)の金属部に電気的に接続され、更には、電気接続部(６)の先端部(61)が金属板(７)に当接して、ネジ部材(５)と金属板(７)とが電気接続部(６)を通じて互いに電気的に接続されることになる。
【００２７】
従って、基板(３)の金属部は、ネジ部材(５)、電気接続部(６)、及び金属板(７)を通じてアースに接続されることになり、その結果、基板(３)の金属部はグランド部として機能することになる。斯くして、上記画像表示装置には、基板(３)の金属部をアースに接続させるためのアース接続構造が構築されることになる。
【００２８】
上記画像表示装置のアース接続構造によれば、図３に示す如くネジ部材(５)と電気接続部(６)とから構成された１種類の部品（アース接続部品）を用意するだけで、収容部(４)の底部(40)への基板(３)の固定と基板(３)へのグランド形成とを実行することが出来る。よって、画像表示装置において、基板(３)の固定及び基板(３)へのグランド形成に必要な部品点数を削減することで出来る。
【００２９】
又、上記画像表示装置のアース接続構造によれば、ネジ部材(５)がネジ受け部(42)に捻じ込まれて電気接続部(６)の先端部(61)が金属板(７)に当接したとき、電気接続部(６)は撓曲（弾性変形）することになる。従って、ネジ受け部(42)へネジ部材(５)を捻じ込むことが、金属板(７)への電気接続部(６)の当接によって妨げられることがない。よって、ネジ受け部(42)へのネジ部材(５)の捻じ込み量が不足することがなく、その結果、基板(３)は、ガタツキのない状態で収容部(４)の底部(40)に固定されることになる。
【００３０】
更に、上記画像表示装置のアース接続構造によれば、撓曲（弾性変形）した電気接続部(６)の弾性反発力（復元力）により、電気接続部(６)の先端部(61)が金属板(７)に向けて押し付けられることになる。よって、電気接続部(６)と金属板(７)との間には、電気的な接続不良が発生し難い。
【００３１】
図４は、上記画像表示装置へのアース接続構造の構築において使用されるアース接続部品の第１変形例を示した側面図である。図４に示す様に、電気接続部(６)は、導電性を有するコイルバネから構成されていてもよい。尚、電気接続部(６)には、板バネとコイルバネに限らず、周知の種々のバネ構造を採用することが出来る。
【００３２】
図５は、上記画像表示装置へのアース接続構造の構築において使用されるアース接続部品の第２変形例を示した側面図である。図５に示す様に、電気接続部(６)は、導電性を有する弾性材料から形成されて棒状に延びた弾性体から構成されていてもよい。尚、弾性材料には、導電性を有する周知の種々の弾性材料を採用することが出来る。
【００３３】
尚、本発明の各部構成は上記実施の形態に限らず、特許請求の範囲に記載の技術的範囲内で種々の変形が可能である。例えば、ネジ部材(５)と電気接続部(６)とから構成されたアース接続部品の構成は、図３〜図５に示されたものに限らず、特許請求の範囲に記載の技術的範囲内で種々の変形が可能である。又、電気接続部(６)は、弾性変形するものに限らず、ネジ部材(５)がネジ受け部(42)に捻じ込まれて電気接続部(６)の先端部(61)が金属板(７)に当接することにより塑性変形するものであってもよい。
【００３４】
上記画像表示装置に採用したアース接続構造は、筐体(１)に設けられた様々な設置台に基板(３)がネジ留めによって固定される画像表示装置に適用することが出来る。又、上記画像表示装置に採用したアース接続構造は、画像表示装置に限らず、携帯電話機等、種々の電子機器に適用することが出来る。
【符号の説明】
【００３５】
(１)  筐体
(10)  背面壁
(２)  画像表示パネル
(３)  基板
(30)  貫通孔
(31)  表面
(32)  裏面
(４)  収容部
(40)  底部
(402) 裏面
(41)  ボス
(410) 先端面
(42)  ネジ受け部
(43)  開口
(５)  ネジ部材
(51)  頭部
(52)  脚部
(53)  雄ネジ部
(54)  先端部
(６)  電気接続部
(61)  先端部
(７)  金属板
【図１】
2012015050.tif 000003
【図２】
2012015050.tif 000004
【図３】
2012015050.tif 000005
【図４】
2012015050.tif 000006
【図５】
2012015050.tif 000007
【図６】
2012015050.tif 000008
【図７】
2012015050.tif 000009